(57)【要約】本発明は虫歯となった臼歯に詰め物を施す際に補助として用いられる歯科用マトリックス固定器具（１）に関する。上記固定器具は、マトリックス保持部（３）とループ状の形態で治療される歯の周囲に装着されるマトリックスバンド（２）を引き締めるための装置とから構成され、上記マトリックス保持部（３）は円形の開口部（８）が形成されたハウジング（５）と、この開口部（８）内で回転可能な溝部（１２）が施された心棒状の内側支軸部（９）とから構成される。マトリックスバンド（２）の重ね合わされた両端部が下記切込部（１０）に挿入され、次いで切込部（１０）と整列するよう配置された溝部（１２）にまで挿入され、内側支軸部（９）を回転することによって歯に張力が加えられるように、上記溝部（１２）はハウジング（５）に施された切込部（１０）と整列して配置されてもよい。  歯車（１３、２７）は、ハウジング（５）の開口部（８）から突出する支軸部（９）の上方先端部に備えられ、上記歯車（１３、２７）は横方向に外側に向って延長し駆動ピニオン（１７）を有する駆動軸（１６）と連動する。
2005537103.tif 000002
【特許請求の範囲】
【請求項１】
虫歯となった臼歯に詰め物をする際の補助として用いられる歯科用マトリックス固定器具であり、該固定器具はマトリックス保持部と、治療される歯の周囲にループ状に配置されるマトリックスバンドを引き締めるための装置とから構成され、上記マトリックス保持部は円形の開口部（８）が形成されたハウジング（５）と、上記開口部（８）において回転可能で溝部（１２）が形成された心棒状の内側支軸部（９）とからなり、上記溝部（１２）はマトリックスバンド（２）の重ね合わされた両端部がその切込部（１０）に挿入されると、それと整列された溝部（１２）に挿入され、内側支軸部（９）を回転させることによって歯に張力を及ぼすことができるように、ハウジング（５）の壁部に形成された切込部（１０）と整列に配置することが可能で、
上記ハウジング（５）における円形の開口部（８）から突出する上記内側支軸部（９）の上方先端部には歯車（１３，２７）が備わってなり、該歯車（１３，２７）は横方向に外側に向って延長する駆動軸（１６）を有する駆動装置（４）と連動することを特徴とするマトリックス固定器具。
【請求項２】
上記マトリックス固定器具は２つの部品構造をしてなり、マトリックス保持部（３）と、該マトリックス保持部（３）の横から連結及び取り外しが可能な別個の駆動装置（４）とから構成され、上記駆動装置（４）は上記マトリックス保持部（３）のハウジング（５）の上面部から延長する内側支軸部（９）に備えられた歯車（１３）と連動及び取り外しが可能な駆動ピニオン（１７）が一方の端部に備えられた横方向に突出する駆動軸（１６）から構成されることを特徴とする請求項１に記載のマトリックス固定器具。
【請求項３】
上記内側支軸部（９）の上方先端部に備えられた歯車は、駆動装置（４）に備えられた駆動ピニオン（１７）と噛み合うように連動するクラウン歯車（１３）であり、上記駆動ピニオン（１７）は横方向に外側に向って延長する駆動軸（１６）を介して回転可能であることを特徴とする請求項１に記載のマトリックス固定器具。
【請求項４】
上記駆動装置（４）は、駆動軸（１６）とその先端に備えられた駆動ピニオン（１７）とから構成されることを特徴とする請求項１に記載のマトリックス固定器具。
【請求項５】
上記駆動ピニオン（１７）は、その正面部において若干傾斜が付いて形成されることを特徴とする請求項３に記載のマトリックス固定器具。
【請求項６】
上記駆動軸（１６）は、駆動ピニオン（１７）とは逆の先端部に備えられた回転ノブ（１９）を用いて円筒状のスリーブ部（２０）の内側において回転することが可能であり、駆動ピニオン（１７）の下を前方に延長し、ハウジング（５）の上方端部から横方向に突出する縁端部（７）の下に滑り込ませることが可能な二股支持部品（２１）が上記スリーブ部（２０）から延長して形成されることを特徴とする請求項１に記載のマトリックス固定器具。
【請求項７】
上記駆動装置（４）は、内側支軸部（９）に備えられた歯車（２７）と連動し、横方向に外側に向って突出する駆動軸（１６）を介して回転することが可能なウォーム駆動（２６）から構成されることを特徴とする請求項１に記載のマトリックス固定器具。
【発明の詳細な説明】
【技術分野】
【０００１】
本発明は、虫歯となった臼歯に詰め物を施す際の補助として用いられる歯科用マトリックス固定器具であり、該器具はマトリックス保持部と、治療される歯の周囲にループ状に配置されるマトリックスバンドを伸長させるための装置とから構成され、上記マトリックス保持部は円形の開口部が形成されたハウジングと、上記開口部において回転可能な溝部が形成された心棒状の内側支軸部とからなり、上記溝部はマトリックスバンドの重ね合わされた両端部がその切込部に挿入されるとそれと整列するよう配置された溝部に挿入され、内側支軸部を回転させることによって歯に張力を及ぼすことができるように、ハウジングの壁部に形成された切込部と整列することが可能となる。
【０００２】
歯科において、患者の詰め物を施す歯の周囲に配置されるマトリックスバンドが堅固に引き締め、その後切削された歯に施される詰め物が形作られ、材質が固まるまで保持するのを保証するためにマトリックス固定器具が用いられる。
【背景技術】
【０００３】
ＥＰ０２２７５９０Ａｌにおいて、マトリックス固定器具はスリーブ部から構成され、スリーブ部はこれに形成された穴部に出し入れ可能に突出する２つの楔形プレート部品を把持装置として備える。プレート部品のほとんどの部分がスリーブ部から突出した状態の取り外し位置において、マトリックスバンドの重ね合わされた両端部が挿入できるように、プレート部の相互に対向する面は相互から離れて配置される。このようにしてマトリックスバンドに形成されたループが、詰め物が施される歯の周囲に装着されると、スリーブ部をループの方向に手動で押圧することによってループが締まり、把持の役割を担うプレート部は閉じられ、最終的にはスリーブ部内に押し込まれる。
【０００４】
米国特許第３８２９９７５の明細書によると、マトリックスバンドの重ね合わされた両端部は、相互に堅固に接続する２つのプレート部の間で保持され、別個の把持装置に押し込められ、特別な器具を用いて巻かれる。その後に行われる歯の治療の間にマトリックスバンドが緩んでしまうのを防ぐことを目的として、把持装置に備えられた掛け金と噛み合うように、プレート部の細面には鋸歯状の端部が形成される。このような装置の製造及び操作は複雑であり、時間も消費する。マトリックスバンドの両端部を保持した状態のプレート板は、把持装置に備えられた掛け金と噛み合うように、それらの鋸歯が相互に対して正確に整列されなければならないため、相互に非常に正確な位置で接続されなければならない。このためには、それぞれの部品の製造及び組立において高いレベルの精度が求められる。
【０００５】
米国特許第４８２４３６５の明細書では、永久的に相互に接続された引き締め装置を有するマトリックスバンドの説明が記載されている。この引き締め装置は、永久的に変形可能な材質から製造された環状部品から構成される。この環状部品の相互に対向する位置には、マトリックスバンドの両端部が挿入されるための２つの切込部が形成される。マトリックスバンドのループから離れた方向に位置する切込部には、マトリックスバンドの両端部が確固且つ永久的に接続される。ループが歯の周囲に配置されると、引き締める役割を担う環状部品の横方向の圧縮及び永久的な変形によって引き締めが行われ、ループと逆側に位置する切込部がマトリックスバンド上をスライドし、このようにしてループを狭めて引き締める。従ってマトリックスバンドは、その後の治療の間も環状部品とその変形によってもたらされる張力のみによって歯に保持されなければならない。これでは本当にしっかりとした装着は保証されない。
【０００６】
これらのマトリックス固定器具の全てに共通の特徴は、引き締め操作が引き締め手段又は把持手段をマトリックスバンドにおいて移動させることによって行われる点である。しかしながら、この方法では歯に対するマトリックスバンドの確固とした十分に堅固な装着は保証されない。さらに、いくつかの装置における不利な点は、マトリックスバンドを装着及び引き締める際に、歯科医は患者の口内に両手の指を入れたまま作業しなければならず、このような方法では視界が遮られるか、少なくとも監視が困難となる。
【０００７】
ＤＥ１９７３８１８９Ａｌにおいて記載されているマトリックス固定器具は２つの部品構造をしてなり、レンチと、無強勢で取手部を開いた状態に保持する事前に成形された板バネ及びブリッジがその一方の取手部に連接的に接続された鉗子形状のマトリックス保持部とから構成される。ブリッジにはネジがしっかりと接続され、板バネに形成された開口部を通過して突出する。マトリックス保持部における取手部の自由端部はレンチによって把持及び回転されることも可能で、この結果として板バネが圧縮され、事前にマトリックスバンドが固定された取手部の自由端部は鉗子的な動作で閉じられる。上記レンチは、その後の治療を行うために取り除かれてもよく、マトリックス保持部を解除するときにのみ再び用いられる。マトリックス保持部は把持動作のみを行い、マトリックスバンドには何の張力も及ぼさないため、マトリックスバンドはしっかりと歯に固定されるために全く正確な寸法で取手部の端部に取り付けられなければならない。歯に対する十分に堅固なマトリックスバンドの保持は、把持動作によって保証されない。
【０００８】
ＥＰ０６６８５４０Ａｌによると、マトリックス固定器具は回転可能なピンが同軸上に配置された環状部品から構成される。環状部品及びピンの両方には、マトリックスバンドの重ね合わされた両端部が挿入されるための切込部が形成されてなる。ピンを回転することによって、マトリックスバンドは引き締められる。この装置の操作はとりわけ使い易くもなく、また技術も要する。環状部品が歯を点状に支持することは好ましくないため、ピンが歯を直接的にしっかりと支持するように、ピンを回転する際に歯科医は完全に患者の口内で作業しなければならない。
【発明の開示】
【発明が解決しようとする課題】
【０００９】
本発明の目的は、非常に微細に調整可能な張力でもって歯の周囲に引き締めることが可能なマトリックスバンドが備えられ、操作が安全で使い易く、使用後の治療において不都合及び障害を最小限に抑えるようなマトリックス固定器具を提供することである。
【課題を解決するための手段】
【００１０】
冒頭に記載した類のマトリックス固定器具の場合において、この目的はハウジングの円形開口部から突出する内側支軸部の先端部に歯車が備えられ、この歯車が横方向に外側に向って延長する駆動軸を有する駆動装置と連動することによって達成できる。
【００１１】
内側支軸部を回転するための横方向に外側に向って延長する駆動軸によって、マトリックス固定器具の口外における正確な操作が可能となる。マトリックス固定器具を歯に装着した後、歯科医は引き締め工程を行うために患者の口内で作業する必要がなくなり、引き締め工程を監視及び制御することが可能となる。
【００１２】
内側支軸部の上方先端部に備えられる歯車は、駆動装置に備えられた駆動ピニオンと噛み合うことができるクラウン歯車であることが好ましく、上記駆動ピニオンは横方向に外側に向って延長する駆動軸によって回転可能である。このような駆動構造を用いることで、マトリックスバンドを歯に全くの的確な張力でもって、非常に正確に引き締めることが可能となる。
【００１３】
本発明の最も単純な具体案において、内側支軸部のための駆動装置は、駆動軸を回転することによってマトリックスバンドを引き締めるべく、内側支軸部がハウジング内で回転されるように、クラウン歯車と噛み合うことが可能な駆動ピニオンが一方の端部に備えられた駆動軸のみによって構成される。
【００１４】
駆動装置の好適な発展案において、駆動軸は駆動ピニオンから離れた方の先端部に備えられた回転ノブを用いて管状のスリーブ部の内部で回転されてもよく、上記スリーブ部からは駆動ピニオンの下を前方に突出し、ハウジングの上方先端部から横方向に突出する縁端部の下に滑り込ませることが可能な二股支持部品が形成され、上記駆動ピニオンは内側支軸部におけるクラウン歯車と連動する。このようにすると、駆動装置は引き締め工程においてマトリックス保持部をより堅固に保持することができる。
【００１５】
引き締め工程が終了すると、駆動装置は取り外され、その後の歯科治療の妨げにならないように脇に置かれてもよい。
【００１６】
また別の具体案において、駆動装置は内側支軸部における歯車と噛み合い、横方向に外側に向って延長する駆動軸を介して回転可能なウォーム駆動から構成されてもよい。
【発明の効果】
【００１７】
本発明によるマトリックス固定器具はプラスチックから安価に製造することができ、全ての衛生的要項が満たされるように使い捨て製品として製造することも可能である。このようにすることで軽量にもなり、患者及び歯科医にとって使い易くなる。しかし、マトリックス保持器のみを使い捨て部品とし、駆動装置は再利用されるように製造することも考慮できる。
【００１８】
本発明は、添付の図面を参照としてほんの一例ではあるが下記により詳細に記載される。
【発明を実施するための最良の形態】
【００１９】
図１は、マトリックスバンド２が挿入された状態の本発明によるマトリックス固定器具１の好適な具体案を示した斜視図である。図２では、マトリックスバンド２が挿入されていない状態の上記マトリックス固定器具１の頭部の先端部を示した拡大図である。上記器具は主としてマトリックス保持部３（図４もまた参照）と駆動装置４とから構成される。周知のように、マトリックス保持部３は、縦方向に延長し歯のために好ましくは凹状に湾曲する軸受面６が、その前面部に形成されたハウジング５から構成される。上記湾居部の半径は的確に適応され、好適には約２ミリメートルの寸法で形成されてもよい。また、上記軸受面６が約２ミリメートルの深さで施された相互に対向する２つの斜角６’、６”によって形成されると条件は十分となる。
【００２０】
ハウジング５は、その上方端部に全周囲から突出して形成された縁端部７を有し、その中央には内側支軸部９（図６aから６ｃを参照）が挿入される垂直に延長する円形開口部８を有する。下方部で開口した垂直方向に施された切込部１０は、軸受面６が形成された壁部にいて、その最も低い位置に形成される。図６aから６ｃによると、内側支軸部９は一方の端部において開口した深い溝部１２によってその２／３程の長さに沿って半分に分割された円柱状の本体部１１を有する。
【００２１】
内側支軸部の溝部１２の開口部から離れた方の端部には、段差１４によって区切られたクラウン歯車１３が備えられる。内側支軸部９がハウジング５における円形開口部８に挿入されると、溝部１２はハウジング５の壁部に形成された切込部１０と整列される。内側支軸部９における溝部１２とクラウン歯車１３の間の部分には、マトリックスバンド２が用途通りに使用された際に緩まないようねじりを調整するために、好適には畝状部品１５が備えられてもよい。
【００２２】
本発明の最も単純な具体案において、駆動装置４は内側支軸部９のクラウン歯車１３と噛み合うことができる駆動ピニオン１７を一方の端部に備えた駆動軸１６から構成される。駆動ピニオン１７は、好適にはその正面部が円錐状に傾斜を付けて形成される（図５参照）。この若干の斜角１８によって、駆動ピニオン１７がクラウン歯車１３により円滑に挿入される。
【００２３】
図にて開示されているような本発明の好適な発展案によると、駆動ピニオン１７から離れた端部に備えられた回転ノブ１９を用いて、駆動軸１６を管状のスリーブ部２０の内部において回転することも可能である。このスリーブ部２０から二股支持部品２１は駆動ピニオン１７の下を前方に突出し、この二股支持部品２１を用いて駆動装置４はマトリックス保持部３におけるハウジング５の縁端部７の下に挿入され、駆動ピニオン１７は内側支軸部９のクラウン歯車１３と噛み合った状態になる。
【００２４】
本件において説明されたようなマトリックス固定器具を、治療される歯の周りに十分な張力をもってマトリックスバンド２を装着するための補助として用いるには、麻呂リックスバンド２の両端部は周知の方法で重ね合わされ、図１において見られるように、共にマトリックス保持部３の切込部１０に挿入され、切込部１０と整列に配置された内側支軸部９における溝部１２にまで通される。このようにして、マトリックスバンド２は円形のループを形成し、問題になっている歯の上から装着される。
【００２５】
そして駆動ピニオン１７は内側支軸部９におけるクラウン歯車１３に噛み合わされ、クラウン歯車１３は駆動軸１６の回転によってハウジング５内で自身の軸を中心に回転する。このように、マトリックスバンド２は切込部１０及び溝部１２を通って引き締め装置に挿入され、ループ２２が引き締められマトリックスバンド２が歯の周りに堅固に装着されるように、内側支軸部９の周囲に巻かれる。ループ２２の幅、又はマトリックスバンド２が歯の周囲に装着される際の張力の強度は、駆動軸１６の操作によって非常に正確に制御及び調整することが可能である。その後に続く治療の間に生じるマトリックスバンド２の自発的な弛緩は起こりえず、上記に記載した内側支軸部９の畝状部品１５によってとりわけ防ぐことができる。
【００２６】
歯の周囲にマトリックスバンド２がしっかりと締められると、その後の治療の妨げとならないように駆動装置４はクラウン歯車１３から取り外され、脇に置かれてもよい。このようにすると、その後の治療の間、患者の口内にはマトリックス保持部３及びマトリックスバンド２のみが残される。
【００２７】
マトリックス保持部３におけるハウジング５及び内側支軸部９は、好適には使い捨て製品として設計され、治療後にはマトリックスバンド２と共に廃棄される。必要に応じて、駆動装置４は再利用されてもよい。
【００２８】
図７には、駆動装置４がウォーム装置として設計された場合のマトリックス固定器具１の具体案が開示されている。後方及び上方に伸びる羽のような延長部２４は、ハウジング５における軸受面６とは反対側の側面に形成され、上部が開口した円形の孔部２５はウォーム駆動２６の駆動軸１６のための軸受として形成される。ウォーム駆動２６は延長部２４に形成された軸受の間に配置され、内側支軸部９に備えられた歯車２７と連結する。その他の機能は上記に説明されたものと同様である。
【図面の簡単な説明】
【００２９】
【図１】本発明によるマトリックス固定器具の、マトリックスバンドが挿入された第１の好適な具体案を示した図である。
【図２】図１によるマトリックス固定器具の、マトリックスバンドが挿入されていない状態の頭部の先端部の拡大図である。
【図３】図１によるマトリックス固定器具における駆動装置を示した図である。
【図４】図１によるマトリックス固定器具において用いられ、駆動装置と連動するマトリックス保持部の透視正面図である。
【図５】駆動ピニオンの斜視図である。
【図６】図４によるマトリックス保持部において用いられる内側支軸部の側面図（ａ）、底面図（ｂ）及び図案化された平面図（ｃ）をそれぞれ示す。
【図７】本発明によるマトリックス固定器具の第２具体案を示した図である。
【符号の説明】
【００３０】
１      マトリックス固定器具
２      マトリックスバンド
３      マトリックス保持部
４      駆動装置
５      ハウジング
６      軸受面
６’    斜角
６”    斜角
７      縁端部
８      開口部
９      内側支軸部
１０    切込部
１１    本体部
１２    溝部
１３    クラウン歯車
１４    段差
１５    畝状部品
１６    駆動軸
１７    駆動ピニオン
１８    斜角
１９    回転ノブ
２０    スリーブ部
２１    二股支持部品
２２    ループ
２４    延長部
２５    孔部
２６    ウォーム駆動
２７    歯車
【図１】
2005537103.tif 000003
【図２】
2005537103.tif 000004
【図３】
2005537103.tif 000005
【図４】
2005537103.tif 000006
【図５】
2005537103.tif 000007
【図６】
2005537103.tif 000008
【図７】
2005537103.tif 000009
【国際調査報告】
2005537103.tif 000010
2005537103.tif 000011
2005537103.tif 000012
2005537103.tif 000013